【事件の表示】
　特願２００８−５３１８４５「エンコードされたＥＣＧ波形を用いてイベントサマリ情報を提供するシステム及び方法」拒絶査定不服審判事件〔平成１９年　３月２９日国際公開、ＷＯ２００７／０３４３９４、平成２１年　３月　５日国内公表、特表２００９−５０８６１８〕について、次のとおり審決する。
【結　論】
　本件審判の請求は、成り立たない。
【理　由】
第１　手続の経緯
　本願は、平成１８年（２００６年）９月１５日（優先権主張　２００５年９月２２日　米国）を国際出願日とする特願２００８−５３１８４５号であって、平成２５年４月３０日付けで拒絶査定がなされ、これに対し同年５月３０日に拒絶査定不服審判の請求がなされ、同時に手続補正がなされた。
　その後、当審において平成２６年６月２４日付けで拒絶理由が通知され、同年９月２２日付けで意見書が提出され、同日付けで手続補正がなされた。
　
第２　本願発明  
　本願の請求項７に係る発明（以下「本願発明」という。）は、平成２６年９月２２日付け手続補正により補正された特許請求の範囲の請求項７に記載された事項により特定される次のとおりのものである。
　
「患者のECGが得られるように前記患者に付けられる電極と、
　イベントサマリ情報を格納するメモリと、
　前記電極に結合され、前記イベントサマリ情報をデジタルサンプルの集合であるECG波形としてエンコードするよう動作可能である制御器と、
　前記制御器に結合され、ECGリードケーブルに結合され、及び前記エンコードされたイベントサマリ情報を持つ前記ECG波形を転送するのに使用されるコネクタとを有し、
　前記ECG波形の転送が、少なくとも２つのモードで行われることができ、一のモードでは、前記エンコードされたECG波形が、前記メモリに格納された格納済みイベントサマリ情報を転送するのに用いられ、別のモードでは、前記エンコードされたECG波形が、実時間のイベントサマリ情報を転送するのに用いられる、除細動器。」
　
第３　引用例
１　引用例１
　当審において通知された拒絶の理由に引用され、本願の優先日前に頒布された刊行物である特表２００４−５２５６９８号公報（以下「引用例１」という）には、次の事項が記載されている。（下線は、当審で付した。）
　
「【０００２】
最近の
自動体外除細動器（ＡＥＤ）の装置
皮膚と接触する電極を介して人間の胸部から得られるＥＣＧ（心電計）による鼓動を自動的に解析する
心不全の緊急事態に対する最初の応答を提供する
【０００３】
装置に対し行なう事象の代表的な手順は、ユーザが電極パッドを患者に被着し、電極を装置に正しく接続することである。このようにして装置が一旦満足さえると、装置は自動的に患者の心臓の鼓動を解析し、診断を行なう。装置により、高電圧電気ショックが適正であると決定されると、装置が自動的に、予め決定されたエネルギーレベルに充電され、明瞭に印された“ＳＨＯＣＫ”釦を押すことをユーザに忠告する。装置が電気ショックを忠告するか、しないかにかかわらず、ユーザには、患者の状態と、装置の作動及び状態との双方又はいずれか一方に関して連続的に知らされる。
【０００４】
安全条件の一環として、事象、決定及び作動の履歴を記録する必要がある。自動体外除細動器（ＡＥＤ）が出現する前では、この記録はペーパーストリップレコーダにより達成されており、このレコーダーは患者のＥＣＧ鼓動を連続的に印刷するとともに、解析、充電状態、電気ショック等のような種々の除細動器の事象に注釈を付け、ペーパーストリップの頂部に沿ってタイムスタンプを付すものである。
【従来技術】
【０００５】
現在のＡＥＤは、重量及び寸法を最小にするために、メモリカードのようなデジタル記憶装置を採用して除細動器の事象及び患者の記録を記憶している。このような記憶装置を使用することは、
マイクロコントローラ又はその他のデジタル処理システムが、記録を必要とする事象の発生をデジタル化して記憶する
装置の使用の結果として生じる事象列や、装置を用いていた期間の患者のＥＣＧ鼓動や、オペレータがしゃべることをデジタルメモリに記憶する。
【０００６】
記憶した情報を外部のコンピュータシステムにダウンロードするのは、
情報をＡＥＤのデジタル記憶装置から赤外線又はオーディオモデムリンクを介して転送する
外部のコンピュータ内に
【発明の開示】
【発明が解決しようとする課題】
【０００７】
これらの全ての機構では、以下の幾つかの問題を解決する必要がある。
１．  メモリカード又はその他のデジタル記憶媒体に記憶された全ての情報を時間的に参照しうるようにする必要がある。例えば、ある種の既知の装置では、時計に用いる種類の小型のバッテリにより電力が与えられるカウンタが、ＡＥＤのスイッチオン瞬時から、メモリカードにより始動される。このカウンタは、メモリカードが外部のコンピュータ内に差込まれるまで動作し続けている。このことは、外部のコンピュータが、現在の時間と特定の事象に対して到達したカウント値とを考慮し、次に時間的に逆算して事象の実際の時間を求めることにより、事象の実際のタイミングを過去に溯って計算しうるようにすることを意味する。
２．  ＡＥＤはこれらを購入する施設によって動作できたりできなかったりするある特性を有する。しかも、これらのＡＥＤは種々の動作モードを有する。例えば、これらのＡＥＤを訓練モードで設置することができ、この場合、高電圧電気ショックの発生を不可能にして、蘇生訓練補助に関する訓練時にオペレータ及び傍観者に危害を加えないようにする。ある種の既知の装置は、特別なコードを有しＡＥＤ内に差込まれるメモリカード式の特別な記憶装置を用いており、従って、ＡＥＤは特定な訓練モードで動作する必要があることを認識する。
３．  ＡＥＤ装置全体に対するサービスのブレークポイントを追尾するには、ＡＥＤ状態及び寿命をもモニタリングする必要がある。これらの装置は、準備完了状態を保つために自動的に自己診断検査をも行なうものであり、これらの検査の結果を記録しサービスマンに得られるようにする必要がある。従って、これらの装置は、患者／装置データをダウンロードしたり、装置の特性／装置モードをプログラミングしたり、又は時間及びデータの同期をとったりするのに、或いはまた、これらの任意の組合せを行なったりするのに、外部のコンピュータとのある種の二方向通信の形態をとる必要がある。
４．  ＡＥＤは種々の状況及び環境の下で用いられる。従って、これらの装置は頑丈にする必要があり、ある程度水や液体の浸入に耐える必要がある。従って、データを転送するある方法はＡＥＤ容器の密封を損なうことなく達成する必要がある。これを達成するある方法では、既に述べたように、赤外線又はオーディオモデムリンクを用いて外部システムと通信する。
【０００８】
現在得られているＡＥＤは上述した問題及び要件を種々の形態及び種々の満足度で解決している。図１は代表的な装置の構造を示している。ＡＥＤ装置１０は、この装置に差込み式のバッテリパック１４を介して電力を与える回路１２を含んでいる。この装置１０自体は、必要なＡＥＤ機能を容易にするために、マイクロプロセッサにより制御される主回路１６を含んでいる。装置状態モニタ１８は、装置の動作、応答及び事象を内部のデジタル記憶媒体２０に記憶するのに、又はデータポート２４を介して差込み式のメモリカード２２に記憶するのに応答しうる（記憶媒体２０及び差込み式メモリカード２２は、これらの双方を図１に示してあるが、どちらか一方を選択するものであることに注意すべきである）。
内部記憶の場合には、データは、例えば前述したように赤外線又はオーディオモデムリンクにより外部システム２６に転送される。
　
「【図１】
　　　　　　　　　　　　　　　　　　　　　　　　　　　　　」
　
２　引用例１に記載された発明
　上記記載（図面の記載も含む）を総合すれば、引用例１には
「人の皮膚と接触する電極を介して胸部から得られるＥＣＧ（心電計）による鼓動を自動的に解析し、心不全の緊急事態に対する最初の応答を提供する自動体外除細動器（ＡＥＤ）の装置において、
　前記装置の使用の結果として生じる事象列や、装置を用いていた期間の患者のＥＣＧ鼓動を、マイクロコントローラ又はその他のデジタル処理システムがデジタル化してデジタルメモリに記憶し、
　上記の記憶された上記デジタル化された事象列や、装置を用いていた期間の患者のＥＣＧ鼓動についてのデータが、赤外線又はオーディオモデムリンクにより外部のコンピュータに転送される自動体外除細動器（ＡＥＤ）の装置。」
の発明（以下「引用発明」という。）が記載されている。
　
第４　当審の判断
１　本願発明と引用発明の対比
（１）本願発明と引用発明を対比する。
　引用発明の「ＥＣＧ（心電計）による鼓動」を「胸部から得」るために「人の皮膚と接触する電極」が、本願発明の「患者のECGが得られるように前記患者に付けられる電極」に相当する。
　
　引用発明の「デジタル化」された「前記装置の使用の結果として生じる事象列や、装置を用いていた期間の患者のＥＣＧ鼓動」（のデータ）が、本願発明の「イベントサマリ情報」に相当するから、引用発明の「デジタル化」された「前記装置の使用の結果として生じる事象列や、装置を用いていた期間の患者のＥＣＧ鼓動」を「記憶」するための「デジタルメモリ」が、本願発明の「イベントサマリ情報を格納するメモリ」に相当する。
　
　引用発明の「前記装置の使用の結果として生じる事象列や、装置を用いていた期間の患者のＥＣＧ鼓動を」「デジタル化してデジタルメモリに記憶」する「マイクロコントローラ又はその他のデジタル処理システム」が、本願発明の「前記電極に結合され、前記イベントサマリ情報をデジタルサンプルの集合であるECG波形としてエンコードするよう動作可能である制御器」に相当する。
　
　引用発明の「上記の記憶された上記デジタル化された事象列や、装置を用いていた期間の患者のＥＣＧ鼓動についてのデータが、赤外線又はオーディオモデムリンクにより外部のコンピュータに転送される」ことと、本願発明の「前記制御器に結合され、ECGリードケーブルに結合され、及び前記エンコードされたイベントサマリ情報を持つ前記ECG波形を転送するのに使用されるコネクタとを有」することとは、「前記エンコードされたイベントサマリ情報を持つ前記ECG波形を転送する」ものである点で一致する。
　
（２）一致点
　よって、本願発明と引用発明は、
「患者のECGが得られるように前記患者に付けられる電極と、
　イベントサマリ情報を格納するメモリと、
　前記電極に結合され、前記イベントサマリ情報をデジタルサンプルの集合であるECG波形としてエンコードするよう動作可能である制御器とを有し、
　前記エンコードされたイベントサマリ情報を持つ前記ECG波形を転送する除細動器。」
の発明である点で一致し、次の各点で相違する。
　
（３）　相違点
ア　相違点１；
　エンコードされたイベントサマリ情報を持つECG波形を転送するために、本願発明においては「制御器に結合され、ECGリードケーブルに結合されるコネクタ」を用いて行われるのに対し、引用発明においてはその点の特定がない点。
　
イ　相違点２；
　データ（ＥＣＧ波形のイベントサマリ情報）が、本願発明においては「一のモードでは、メモリに格納された格納済み情報を転送するのに用いられ、別のモードでは実時間の情報を転送するのに用いられる」のに対し、引用発明においてはそのような特定がない点。
　
２　相違点についての見解
（１）上記各相違点について検討する。
ア　相違点１について
　データ転送において、「コネクタ」を「リードケーブル」に結合して、「制御機器」からの電子データを転送（送信）することは、例をあげるまでもなく、従来よりありふれた周知の技術である。引用発明においても、例えば、装置の簡易化等の要請に応じて、上記周知技術を適用し、データ転送を、「制御器に結合され、ECGリードケーブルに結合されるコネクタ」を用いて行う構成として、上記相違点１に係る本願発明の構成を得ることは当業者が容易に想到し得たことである。
　
イ　相違点２について
　除細動器を含む医療機器の技術分野において、データ転送において「一のモードでは、メモリに格納された格納済み情報を転送するのに用いられ、別のモードでは実時間の情報を転送するのに用いられる」ように構成することは、例えば、原査定の拒絶の理由に引用された、本願の優先日前に頒布された刊行物である米国特許第４５０６６７７号明細書（ＦＩＧ１参照。コントロールサーキット１２によってスイッチ８が閉じられるモードでは、メモリ４に保存されたデータがＥＣＧレコーダに出力され、スイッチ１１が閉じられるモードでは、患者からのＥＣＧ信号が直接ＥＣＧレコーダへ送られることが記載されている。）にも記載されているように周知の技術である。除細動器においても、患者からの実時間のデータと記憶されているデータを合わせて用いるという要請は、当業者に自明の技術課題であり、引用発明においても、上記の技術課題の解決のための必要に応じて、上記周知技術を適用し、上記相違点２に係る本願発明の構成を得ることは当業者が容易に想到し得たことである。
　
（２）そして、本願発明によってもたらされる効果は、引用発明及び周知技術から当業者が予測し得る程度のものである。
　
（３）まとめ
　したがって、本願発明は、引用発明及び周知技術に基いて当業者が容易に発明することができたものである。
　
　
３　小活
　以上のとおり、本願発明は、引用発明及び周知技術に基いて当業者が容易に発明することができたものであるから、特許法第２９条第２項の規定により特許を受けることができない。
　
　
第５　むすび
　以上のとおりであり、本願発明は、特許法第２９条第２項の規定により特許を受けることができない。
　したがって、その余の請求項に係る発明について論及するまでもなく、本願は拒絶すべきものである。
　
　よって、結論のとおり審決する。